(57)【要約】      （修正有）【課題】天板上の器具等の配置に関わらず、天板上の所望の箇所を照明できるようにする。【解決手段】天板付き家具たるテーブルの天板の上方に設けられる給電レール５１と、この給電レール５１から電力の供給を受けるための電極６０ａ、６０ｂを有する照明装置本体６とを照明装置Ｌに具備させ、このような照明装置Ｌにおいて、前記照明装置本体６が前記給電レール５１に対して着脱可能であるとともに、前記給電レール５１のどの箇所に照明装置本体６を取り付けても照明装置本体６に電力を供給可能な構成を採用する。【選択図】図４
2011054364.tif 000002
【特許請求の範囲】
【請求項１】
天板付き家具の天板の上方に設けられる給電レールと、この給電レールから電力の供給を受けるための電極を有する照明装置本体とを具備するものであって、前記照明装置本体が前記給電レールに対して着脱可能であるとともに、前記給電レールのどの箇所に照明装置本体を取り付けても照明装置本体に電力を供給可能であることを特徴とする照明装置。
【請求項２】
前記照明装置本体が、前記給電レールから電力の供給を受けて発光する光源と、この光源からの光を反射する反射面を有する反射板とを具備する請求項１記載の照明装置。
【請求項３】
前記光源がＬＥＤ素子を利用したものである請求項２記載の照明装置。
【請求項４】
前記照明装置本体が、マグネット部をさらに有する請求項１、２又は３記載の照明装置。
【請求項５】
色温度がそれぞれ異なる光源をそれぞれ具備する複数の前記照明装置本体を同時に、又は選択的に使用可能である請求項１、２、３又は４記載の照明装置。
【請求項６】
前記天板と給電レールとの間に設けたパーティション部材に取り付け可能であり天板の使用端側に向け延伸するアームと、前記アームの先端部に取り付けてなり、前記給電レールから電力の供給を受ける受電部及びこの受電部により受けた電力を前記照明装置本体に供給するための給電部を有する補助給電レールとをさらに具備する請求項１、２、３、４又は５記載の照明装置。
【発明の詳細な説明】
【技術分野】
【０００１】
本発明は、天板付き家具の天板面上を照明するための照明装置に関する。
【背景技術】
【０００２】
従来、天板付き家具の天板面上を照明するための態様として、種々の構成が知られている。その一例として、例えば、光源を有する照明器具本体と、この照明器具本体を支持するアームとを有する照明器具を用意するとともに、この照明器具のアームの基端を、天板上方のデスクトップパネルに形成した照明器具取り付け手段を介して取り付けるようにするものが挙げられる（例えば、特許文献１を参照）。
【０００３】
ところで、天板面上には、書類だけでなくパソコン等種々の器具を配置することが多く、照明装置からの光がこのような器具に遮られないように、照明装置の配置を変更可能にする要望がある。前記特許文献１記載の構成では、前記アームの姿勢を変化させることにより照明器具本体を移動させるようにしているが、このような構成では、照明器具本体は前記照明器具取り付け手段からアームの長さ寸法の範囲でしか移動させることができず、天板上の器具の配置によっては天板上の所望の箇所を照明することができなくなることがあり得る。
【先行技術文献】
【特許文献】
【０００４】
【特許文献１】特許第３５０６０６０号公報
【発明の概要】
【発明が解決しようとする課題】
【０００５】
本発明は以上の点に着目し、このような課題を解決すること、すなわち、天板上の器具等の配置に関わらず、天板上の所望の箇所を照明できるようにすることを目的とする。
【課題を解決するための手段】
【０００６】
すなわち本実施形態に係る照明装置は、天板付き家具の天板の上方に設けられる給電レールと、この給電レールから電力の供給を受けるための電極を有する照明装置本体とを具備するものであって、前記照明装置本体が前記給電レールに対して着脱可能であるとともに、前記給電レールのどの箇所に照明装置本体を取り付けても照明装置本体に電力を供給可能であることを特徴とする。
【０００７】
このようなものであれば、天板面上の照明すべき部位の上方の位置に照明装置本体を配し、この照明装置本体を前記給電レールに装着すれば、前記給電レールのどの箇所に照明装置本体を取り付けても照明装置本体に電力を供給可能であることから、天板上の器具の配置に関わらず天板上の所望の箇所を照明するようにできる。
【０００８】
前記給電レールを天板の反使用端縁の上方に配した場合等において、天板の使用端縁近傍の所望の箇所をより有効に照明できるようにするには、前記照明装置本体が、前記給電レールから電力の供給を受けて発光する光源と、この光源からの光を反射する反射面を有する反射板とを具備するものが望ましい。このようなものであれば、反射板により光源からの光を反射させて天板の使用端縁近傍に導くようにできるからである。
【０００９】
特に、前段の構成において前記光源がＬＥＤ素子を利用したものであれば、比較的電力消費が少ないＬＥＤ素子を利用した光源を採用しつつ、前記反射板により直進性が高いＬＥＤ素子からの光を確実に天板の使用端縁近傍に導くことができる。
【００１０】
必要に応じて前記照明装置本体を給電レールに対して脱着し、同一の給電レールに照明装置本体を１個又は複数個取り付けるようにする使用態様を採用する場合、前記照明装置本体が、マグネット部をさらに有するものが望ましい。このようなものであれば、このマグネット部を利用して、使用しない照明装置本体を天板面の上方に設けたデスクトップパネルの鉄製のパネル要素等に吸着させておくことができるからである。
【００１１】
また、色温度がそれぞれ異なる光源をそれぞれ具備する複数の前記照明装置本体を同時に、又は選択的に使用可能であるものであれば、使用者の好みに応じて所望の色温度の光源を具備する前記照明装置本体を給電レールに装着して使用することや、天板の複数箇所をそれぞれ異なる色温度の光源からの光により照明することが可能になる。
【００１２】
天板面上に大型の機器を配置する場合において、この大型の機器よりも天板の使用端側を照明する場合に望ましい態様として、前記天板と給電レールとの間に設けたパーティション部材に取り付け可能であり天板の使用端側に向け延伸するアームと、前記アームの先端部に取り付けてなり、前記給電レールから電力の供給を受ける受電部及びこの受電部により受けた電力を前記照明装置本体に供給するための給電部を有する補助給電レールとをさらに具備するものが挙げられる。このようなものであれば、前記補助給電レールを前記大型の機器よりも天板の使用端側に配置し、この補助給電レールに照明装置本体を装着することにより、天板の使用端側を照明することができるからである。
【発明の効果】
【００１３】
本発明に係る照明装置の構成によれば、給電レールのどの箇所に照明装置本体を取り付けても照明装置本体に電力を供給可能であることから、天板面上の照明すべき部位の上方の位置に照明装置本体を配し、この照明装置本体を前記給電レールに装着して照明装置本体に給電することにより、天板上の器具の配置に関わらず天板上の所望の箇所を照明するようにできる。
【図面の簡単な説明】
【００１４】
【図１】本発明の第一実施形態を示す斜視図。
【図２】同実施形態に係る照明装置の正面図。
【図３】同実施形態に係る照明装置の平面図。
【図４】同実施形態に係る照明装置の要部の側断面図。
【図５】同実施形態に係る照明装置本体の斜視図。
【図６】本発明の第二実施形態に係る照明装置を示す全体斜視図。
【図７】同実施形態に係る照明装置を示す分解斜視図。
【発明を実施するための形態】
【００１５】
以下、本発明の第一実施形態について図１ないし図５を参照して説明する。
【００１６】
本実施形態は、天板１及び該天板１の上方に配してなるパーティション部材たるデスクトップパネル２を具備する天板付き家具たるテーブルＴと、この天板付き家具の天板１の天板面を照明するための本発明の照明装置Ｌとを利用する家具システムである。
【００１７】
前記テーブルＴは、前記図１及び図２に示すように、前後対にして設けられ反使用端縁を対向させた状態で配してなる前記天板１と、この天板１を支持する脚構造体３と、前記対をなす天板１間に形成した配線挿通空間の左右両端近傍から上方に起立させた支柱４と、この支柱４に左右両端部を支持させてなり、前後一対に設けたパネル要素２１、及びこれらパネル要素２１間の空間の上方に配してなるパネルカバー２２を備えた前記デスクトップパネル２とを具備する。
【００１８】
一方、前記照明装置Ｌは、前記図１〜図４に示すように、前記支柱４の上端部間に設けてなり給電レール５１を内蔵した給電フレーム５と、この給電レール５１から電力の供給を受けるための第１及び第２の電極６０ａ、６０ｂを有する照明装置本体６とを具備する。
【００１９】
より具体的には、前記給電フレーム５は、前記図４に示すように、前後１対に設けた給電レール５１と、この給電レール５１の上下両側を被覆するフレームカバー５２とを具備する。前記給電レール５１は、それぞれ天板１の幅方向に延伸しているとともに、断面視略Ｓ字状をなし、天板１の使用端側に開口する給電口５１ａを有する。この給電口５１ａは、この給電レール５１の幅方向全域にわたって伸び、前記照明装置本体６を取り付けてなる。そして、前記給電口５１ａの上面及び下面には、前記照明装置本体６の両電極にそれぞれ接続可能な第１及び第２の給電端子５１ｘ、５１ｙを設けている。前記給電端子５１ｘ、５１ｙも、この給電レール５１の幅方向全域にわたって伸びている。
【００２０】
前記照明装置本体６は、前記図４及び図５に示すように、複数個のＬＥＤ素子６１１を基板６１２上に配してなる光源６１と、この光源６１を被覆する光源カバー６２と、これら光源６１及び光源カバー６２を収納してなるケース６３と、これら光源６１、光源カバー６２、及びケース６３の上方かつ天板１の使用端縁に向かう側に配してなる笠６４と、この笠６４の下方に設けてなり、下面を前記光源６１からの光を反射する反射面６５ａとしている反射板６５と、前記光源６１を一端部で支持しているとともに、この光源６１と接続した前記第１及び第２の電極６０ａ、６０ｂを設けてなり、前記給電レール５１の給電口５１ａに装着可能な取付部６６と、前記ケース６３の下面に添接させて設けたマグネット部６７とを具備する。
【００２１】
さらに詳述すると、前記光源６１は、前記図４に示すように、上述したように、複数個のＬＥＤ素子６１１と、これらＬＥＤ素子６１１を配置してなる基板６１２とを備えている。ここで、前記ＬＥＤ素子６１１からの光は、天板面と平行に使用端に向かい進む。なお、本実施形態では、昼光色のＬＥＤ素子６１１を有する光源６１を備えた照明装置本体６と、電球色のＬＥＤ素子６１１を有する光源６１を備えた照明装置本体６とを用意している。
【００２２】
前記光源カバー６２は、前記図４及び図５に示すように、全体を透光性を有する部材、たとえば合成樹脂により形成してなるとともに、反使用端側に向かう開口６２１を有する。そして、この開口６２１内に前記光源６１を収納するようにしている。また、この光源カバー６２の上方には、この光源カバー６２の上面と平行にケース支持板６２２を設けている。
【００２３】
前記ケース６３は、前記図４及び図５に示すように、前記光源カバー６２の両側方を被覆する側板６３１と、前記ケース支持板６２２に添接するとともに前記光源カバー６２の使用端側端縁を越えてさらに使用端側に伸びる頂板６３２とを有する。また、前記頂板６３２の使用端側には、使用端側に向かうにつれ下方に向かう傾斜を有する傾斜部６３２ａを設けている。
【００２４】
前記笠６４は、前記図４及び図５に示すように、前記ケース６３の頂板の上方に取り付けてなり、使用端側に向かうにつれ下方に向かう傾斜を有するとともに使用端側に向かうにつれこの傾斜が急になる曲面形状を有する。
【００２５】
前記反射板６５は、前記図４及び図５に示すように、前記ケース６３の頂板６３２の傾斜部６３２ａの下方に取り付けてなり、下面を反射面６５ａとしている。そして、この反射板６５は、使用端側に向かうにつれ下方に向かう傾斜を有する平面状をなしている。従って、この反射板６５に達した前記ＬＥＤ素子６１１からの光は、この反射板６５により反射されて天板面の使用端側の部位に向かって進む。
【００２６】
前記取付部６６は、前記図４及び図５に示すように、本実施形態では光源カバー６２と一体に形成してなる。また、この取付部６６には、前記給電レール５１の前記給電口５１ａの突条間に形成した凹部に係合可能な係合爪部６６１を設けている。そして、上述したように、この取付部６６には、前記光源６１に接続した第１及び第２の電極６０ａ、６０ｂを設けている。
【００２７】
前記マグネット部６７は、前記図４に示すように、前述したように前記ケース６３の下面に添接させて設けてなり、略平板状をなす部材である。
【００２８】
このような照明装置Ｌを利用して天板面上を照明する際には、以下の手順により照明装置本体６を給電レール５１に装着する。まず、照明装置本体６を照明したい部位の上方に位置付ける。次いで、照明装置本体６の取付部６６を給電レール５１の給電口５１ａの任意の箇所に差し込むことにより、照明装置本体６の第１及び第２の電極６０ａ、６０ｂを給電レール５１の給電口５１ａ内の第１及び第２の給電端子５１ｘ、５１ｙに接続させる。すると、照明装置本体６に給電が行われ、所望の位置が照明される。一方、使用しない照明装置本体６は、前記給電レール５１の給電口５１ａから取り外し、例えば、マグネット部６７をパネル要素２１に吸着させることにより保管しておく。
【００２９】
本実施形態に係る照明装置Ｌの構成によれば、給電レール５１の給電口５１ａの上面及び下面に、照明装置本体６の両電極６０ａ、６０ｂにそれぞれ接続可能な第１及び第２の給電端子５１ｘ、５１ｙを長手方向の全域にわたって設けているので、天板面上の照明すべき部位の上方の位置に照明装置本体６を配し、この照明装置本体６を前記給電レール５１の任意の箇所に装着することにより、照明装置本体６に電力を供給可能である。従って、天板１上の器具の配置に関わらず天板１上の所望の箇所を照明することができる。
【００３０】
また、前記照明装置本体６が、前記給電レール５１から電力の供給を受けて発光する光源６１と、この光源６１からの光を反射する反射面６５ａを有する反射板６５とを具備するので、反射板６５により光源６１からの光を反射させて天板１の使用端縁近傍に導くようにできる。従って、前記給電レール５１を天板１の反使用端縁の上方に配した場合等において、天板１の使用端縁近傍の所望の箇所をより有効に照明できる。
【００３１】
加えて、前記光源６１がＬＥＤ素子６１１を利用したものであるので、比較的電力消費が少ないＬＥＤ素子６１１を利用した光源６１を採用しつつ、前記反射板６５により直進性が高いＬＥＤ素子６１１からの光を確実に天板１の使用端縁近傍に導くことができる。
【００３２】
さらに、前記照明装置本体６が、マグネット部６７をさらに有するので、このマグネット部６７を利用して、使用しない照明装置本体６をデスクトップパネル２の鉄製のパネル要素２１に吸着させておくことができる。従って、必要に応じて前記照明装置本体６を給電レール５１に対して脱着し、同一の給電レール５１に照明装置本体６を１個又は複数個取り付けるようにする使用態様を採用できる。
【００３３】
また、色温度がそれぞれ異なる光源６１、すなわち昼光色のＬＥＤ素子６１１を利用した光源６１と電球色のＬＥＤ素子６１１を利用した光源６１をそれぞれ具備する複数の前記照明装置本体６を給電レール５１に装着して使用可能であるとともに、いずれかの色温度を有する光源６１を具備する前記照明装置本体６のみを使用することも可能であるので、天板１の複数箇所をそれぞれ異なる色温度の光源６１からの光により照明する等、より多様な使用態様に対応することができる。
【００３４】
以下、本発明の第二実施形態について図６及び図７を参照して説明する。
【００３５】
本実施形態は、天板１及び該天板１の上方に配してなるデスクトップパネル２を具備する天板付き家具たるテーブルＴと、この天板付き家具の天板１の天板面を照明するための本発明の照明装置Ｌとを利用する家具システムである。
【００３６】
前記テーブルＴは、上述した第一実施形態に係るものと同様の構成を有するので、詳細な説明は省略する。
【００３７】
前記照明装置Ｌは、前記支柱４の上端部間に設けてなり給電レール５１を内蔵した給電フレーム５と、この給電レール５１から電力の供給を受けるための電極を有する照明装置本体６と、前記天板１と給電レール５１との間に設けたパーティション部材に取り付け可能であり天板１の使用端側に向け延伸するアーム７と、前記アーム７の先端部に取り付けてなり、前記給電レール５１から電力の供給を受ける受電部たる受電口８ｂ及びこの受電口８ｂにより受けた電力を前記照明装置本体６に供給するための給電部たる給電口８ａを有する補助給電レール８とを具備する。
【００３８】
前記給電フレーム５及び前記照明装置本体６は、上述した第一実施形態に係るものと同様の構成を有するので、詳細な説明は省略する。但し、前記照明器具本体は、給電フレーム５の給電レール５１ではなく、前記補助給電レール８に装着するようにしている。また、給電レール５１の給電口５１ａには、前記補助給電レール８に給電を行うための図示しないプラグの一方の端子を装着するようにしている。
【００３９】
前記アーム７は、前記図６及び図７に示すように、左右一対に設けられ、内部に前記デスクトップパネル２の上端を収納可能な収納部７１ａを有し左右対をなす取付部材７１と、前記左右の取付部材７１間を接続する接続部材７２と、この接続部材７２の左右両端からそれぞれ使用端縁に向かい伸びるとともに使用端縁に向かい上方に向かう傾斜を有する左右１対のアーム本体７３とを具備する。前記アーム本体７３の先端部には、雄ねじ部材を挿通可能なねじ挿通孔７３ａを設けている。このアーム７は、アーム本体７３を前記補助給電レール８の両端に配した状態で、ねじ挿通孔７４ａ及び突起７４ｂを有するブラケット７４を介して前記補助給電レール８に接続する。
【００４０】
前記補助給電レール８は、上述した給電レール５１と同様の断面形状を有する。すなわち、前記図７に示すように、断面視略Ｓ字状をなして天板１の幅方向に伸びているとともに、天板１の使用端側に開口し前記照明器具本体６を装着可能な給電口８ａ、及び天板１の反使用端側に開口し前記プラグの他方の端子を装着可能な受電口８ｂを備えている。また、補助給電レール８の上面及び下面にはそれぞれ前後対をなす突条８ｃ、８ｄを設けている。加えて、この補助給電レール８の一側端には、前記給電口８ａ内及び前記受電口８ｂ内のそれぞれ対応する給電端子同士を電気的に接続する機能を有するサイドキャップ９を取り付けるようにしている。そして、このサイドキャップ９の外側と前記アーム７の一方のアーム本体７３との間、及びこの補助給電レール８の他側端と前記アーム７の他方のアーム本体７３との間は、前記ブラケット７４のねじ挿通孔７４ａ、及び前記アーム本体７３のねじ挿通孔７３ａを通過させた雄ねじ部材を介して接続している。ここで、その際、前記ブラケット７４の突起７４ｂを、補助給電レール８の下面に設けた突起８ｄ間の凹部８ｅに係り合わせるようにしている。本実施形態では、前記アーム７、前記補助給電レール８、及びサイドキャップ９は、一体的に取り扱われ、前記給電レール５１よりも上方かつ使用端側に前記照明装置本体６を位置付けて給電するための延長ユニットＥを構成している。
【００４１】
このような照明装置Ｌを利用して天板面上を照明する際には、以下の手順により照明装置本体６を給電レール５１に装着する。まず、前記図７に示すように、予めアーム７の先端部間に前記補助給電レール８及びサイドキャップ９を前記ブラケット７４を介して装着し、延長ユニットＥを形成する。次いで、アーム７を照明したい部位の上方に位置付ける。それから、アーム７の取付部材７１をデスクトップパネル２のパネルカバー２２の上方に装着する。それから、前記プラグの両端の端子を前記給電レール５１の給電口５１ａ及び前記補助給電レール８の受電口８ｂにそれぞれ装着する。そして、前記照明装置本体６の取付部６６を補助給電レール８の給電口８ａに差し込むことにより、照明装置本体６の第１及び第２の電極６０ａ、６０ｂを補助給電レール８の給電口８ａ内の対応する給電端子にそれぞれ接続する。すると、照明装置本体６に給電が行われ、所望の位置が照明される。一方、使用しない照明装置本体６は、前記給電レール５１の給電口５１ａから取り外し、例えば、マグネット部６７をパネル要素２１に吸着させることにより保管しておく。
【００４２】
本実施形態に係る照明装置Ｌの構成によれば、前述した第一実施形態に係る照明処置の構成による効果に加えて、以下の効果が得られる。すなわち、本実施形態の照明装置Ｌは、取付部６６を前記天板１と給電レール５１との間に設けたパーティション部材に取り付けてなるとともに、天板１の使用端側に向け延伸するアーム本体７２を有するアーム７と、前記アーム本体７２の先端部に取り付けてなり、前記給電レール５１から電力の供給を受ける受電部８ｂ及びこの受電部８ｂにより受けた電力を前記照明装置本体６に供給するための給電部８ａを有する補助給電レール８とをさらに具備するので、前記補助給電レール８を前記大型の機器よりも使用端側又は上方に配置し、この補助給電レール８に照明装置本体６を装着することにより、天板１の使用端側を照明することができる。従って、この照明装置Ｌにより、天板面上にデスクトップパソコンや大型ディスプレイモニタ等の大型の機器を配置する場合において、この大型の機器を配した箇所よりも天板１の使用端側に光源６１からの光を届けることができる。
【００４３】
なお、本発明は以上に述べた実施形態に限らない。
【００４４】
例えば、上述した第二実施形態におけるアーム及び補助給電レールは、パーティション部材に限らず、例えば給電レールの上部に直接取り付けてもよいし、天板面の上方に配置した棚や、天板の反使用端を自立するサービスウォール等の壁体に突き当てるか又は近接させる場合における該壁体等の他の部材に取り付けるようにしてもよい。
【００４５】
また、給電レールは、デスクトップパネルの笠木部分に設けてもよい。
【００４６】
一方、照明装置本体を１つだけ用いる態様を採用してもよく、この場合、光源に用いるＬＥＤ素子の色温度は単一種類のもののみを用いる態様、及び複数の色温度を有するＬＥＤ素子を同時に用いる態様のいずれを採用してもよい。また、複数の照明装置本体を用いる態様であっても、単一種類の色温度を有する照明装置本体のみを用いる態様を採用してもよい。
【００４７】
さらに、複数の照明装置本体を使用可能であるとともに、同時に使用する照明装置本体の数及び光源の色温度の組み合わせを選択可能な態様において、使用しない照明装置を保管しておくために、上述したマグネット部を利用してパネル要素に吸着させる態様に限らず、例えば、照明装置本体にパネル要素に吸着させるための吸盤等、他の構成の本体吸着手段を設ける態様や、天板付き家具側に上述した実施形態の照明装置本体の取付部を装着可能であるとともに給電は行わない照明装置仮保持部を設ける態様等を採用してもよい。
【００４８】
加えて、前記光源は、ＬＥＤ素子を利用したものに限らず、例えば、通常の電球又は蛍光灯等を使用したものであってもよい。
【００４９】
また、反射板の角度は変更可能であってもよく、また、反射板を利用して光源からの光を天板面上に導く代わりに、ＬＥＤ素子からの光がはじめから天板面に向かうような光源の配置態様を採用してもよく、また、光の直進性が低い光源を使用する場合は、反射板自体を省略してもよい。
【００５０】
そして、給電レール又は補助給電レールに対する照明装置本体の取付態様も、例えば、上方又は下方に開口するとともに内部に長手方向全域にわたって延伸する第１及び第２の給電端子を有する給電口を給電レールに形成し、照明装置本体の取付部をこの給電口に上方又は下方から挿入する態様や、給電レールの前面及び後面に長手方向全域にわたって延伸する第１及び第２の給電端子を設けるとともに、この給電レールを照明装置本体の取付部が跨るようにして照明装置を装着するようにする態様等、上述した実施態様に係るもの以外を採用してもよい。
【００５１】
加えて、本発明の照明装置はパネルと天板付き家具を組み合わせて構成するいわゆるパネルシステムに採用してもよい。すなわち、給電レールをパネルシステムのパネルに設けるようにしてもよい。
【００５２】
その他、本発明の趣旨を損ねない範囲で種々に変形してよい。
【符号の説明】
【００５３】
Ｔ…テーブル（天板付き家具）
１…天板
Ｌ…照明装置
５１…給電レール
６…照明装置本体
【図１】
2011054364.tif 000003
【図２】
2011054364.tif 000004
【図３】
2011054364.tif 000005
【図４】
2011054364.tif 000006
【図５】
2011054364.tif 000007
【図６】
2011054364.tif 000008
【図７】
2011054364.tif 000009